(57)【要約】      （修正有）【課題】ＬＥＤを用いた装飾用照射装置において、装飾効果を損なうことなく、かつ、屋外での使用を考慮して防水性を向上させた照明装置を提供する。【解決手段】ＬＥＤを備えた発光部２４１の下方外表面には、封止部２４２に向かって延設された透光性の保護カバー３が設けられており、封止部には口金４が装着されていて、口金は、封止部を収容保持するベース４１部と、封止部の外周を覆うように設けられた透光性の締付け部材４２とで構成されている。封止部と締付け部材との間には、弾性部材からなる防水カバー５と、防水カバーを押圧する押え部材６とが設けられている。ベース部と締付け部材を係合させることで、押え部材が防水カバーを押圧して封止部に密着させる。【選択図】図２
2018088378.tif 000002
【特許請求の範囲】
【請求項１】
ＬＥＤを備えた発光体と、該発光体に給電するリードと、前記発光体を覆うように収容する透光性の封体とからなり、該封体は、前記発光体を収容する発光部と、これに連設された封止部とからなる光源体を備え、
前記発光部の下方外表面には、前記封止部に向かって延設された透光性の保護カバーが設けられており、
前記封止部には口金が装着されていて、当該口金は、前記封止部を収容保持するベース部と、前記封止部の外周を覆うように設けられた透光性の締付け部材とで構成されており、
前記封止部と締付け部材との間には、弾性部材で構成された防水カバーと、当該防止カバーを押圧する押え部材とが設けられており、
前記ベース部と前記締付け部材を係合させることで、前記押え部材が前記防水カバーを押圧して前記封止部に密着させている
ことを特徴とする装飾用照明装置。
【請求項２】
前記発光体に給電する給電線が、前記ベース部内で前記光源体の前記リードに電気的な接続がなされていることを特徴とする請求項１に記載の装飾用照明装置。
【請求項３】
前記給電線によって複数の前記光源体が電気的に連設されていることを特徴とする請求項２に記載の装飾用照射装置。
【発明の詳細な説明】
【技術分野】
【０００１】
本発明は、発光ダイオード（ＬＥＤ）を用いた照明装置に関し、特に、屋外の装飾照明に用いられる照明装置に係わるものである。
【背景技術】
【０００２】
従来から、屋外用の装飾照明として、点状光源をライン状に接続させた照明装置が用いられている。例えば特許第４７０３１３２号公報（特許文献１）には、ライン状の照明装置を、外壁や屋根の外郭に沿わせて設置させ、屋外の装飾照明として用いるものが知られている。
【０００３】
上記装飾用の照明装置は、設置の際の向きや配置によって照明装置の周囲に明暗が形成されてしまうと装飾の美観性が変わってしまうため、出射された光をどの方向からも視認できるよう、光が全周囲に出射されることが望ましい。
例えば特許第４１４３０７４号公報（特許文献２）では、ＬＥＤチップを覆うように光透過性樹脂を形成し、ＬＥＤからの出射光が側面方向や下面方向に反射や屈折させることで、装飾効果を高めることが記載されている。
【０００４】
また一方で、屋外用の装飾照明は雨風に曝される可能性があることから、防水性の高い装置設計が必要とされている。例えば登録実用新案第３１１０１１４号公報（特許文献３）では、灯具周囲を覆うように保護カバーを設けることが記載されている。特に、透光性の封体と、給電部を収容する口金との隙間を覆うように防水保護カバーを設けることが望ましい。
しかしながら、特許文献３に記載の構成では、十分な防水性を確保することができない。また防水性を高めつつも、ＬＥＤからの出射光が全周囲に照射され、高い装飾効果を備えていなければならない。
【先行技術文献】
【特許文献】
【０００５】
【特許文献１】特許第４７０３１３２号公報
【特許文献２】特許第４１４３０７４号公報
【特許文献３】登録実用新案第３１１０１１４号公報
【発明の概要】
【発明が解決しようとする課題】
【０００６】
本発明は、上記従来技術の問題点に鑑みて、発光ダイオード（ＬＥＤ）を用いた装飾用照射装置において、装飾効果を損なうことなく、かつ、屋外での使用を考慮して防水性を向上させた照明装置を提供するものである。
【課題を解決するための手段】
【０００７】
上記課題を解決するために、本発明の装飾用照射装置は、ＬＥＤを備えた発光体と、該発光体に給電するリードと、前記発光体及び前記リードを覆う透光性の発光部と、前記発光部に連設された封止部とで構成された光源体を備え、前記発光部の下方外表面には、前記封止部に向かって延設された透光性の保護カバーが設けられており、前記封止部には口金が装着されていて、当該口金は、前記封止部を収容保持するベース部と、前記封止部の外周を覆うように設けられた透光性の締付け部材とで構成されており、前記封止部と締付け部材との間には、弾性部材で構成された防水カバーと、当該防止カバーを押圧する押え部材とが設けられており、前記ベース部と前記締付け部材を係合させることで、前記押え部材が前記防水カバーを押圧して前記封止部に密着させていることを特徴とする。
また、前記発光体に給電する給電線が、前記ベース部内で前記光源体の前記リードに電気的な接続がなされていることを特徴とする。
また、前記給電線によって複数の前記光源体が電気的に連設されていることを特徴とする。
【発明の効果】
【０００８】
この発明の光源ユニットによれば、発光部の下方外周に透光性の保護カバーを設けることで雨水の侵入を防ぐとともに、この保護カバーが透光性であるので光が全周囲に出射されるので、照明装置の周囲に明暗が形成されてしまうことがなく、装飾の美観性が変わってしまうことがない。
また、発光部に連設された封止部が収容保持される口金部の内部に防水カバーを設け、口金の締付け部材によって、封止部と防水カバーとの密封性を高めることができ、これによって口金内部への防水性を一段と高めることができる。更には、この締付け部材も透光性であるので、照射装置の周囲に影を作るようなこともない。
【図面の簡単な説明】
【０００９】
【図１】本発明の装飾用照明装置を複数備えた全体斜視図
【図２】本発明の装飾用照明装置の個別断面図
【図３】本発明の装飾用照明装置の分解斜視図
【図４】発光体の説明図
【発明を実施するための形態】
【００１０】
図１に本発明の多数の装飾用照明装置１を連設した全体斜視図が示されており、各装飾用照明装置１は給電線１０によって連設されている。
図２には個別の装飾用照明装置１の断面図が示され、図３には分解斜視図が示されている。
図２に示されるように、本発明の装飾用照明装置１は、光源体２と、この光源体２を収容保持する口金４とからなる。
光源体２は、ＬＥＤを備えた発光体２１（後に詳述する）と、複数連設された発光体２１に給電するリード２２と、このリード２２を保持する基部２３とを有し、前記リード２２は基部２３を貫通する形で下方に突出している。
【００１１】
そして、前記発光体２１およびリード２２を覆うように収容する透光性の封体２４が設けられていて、この封体２４は、発光体２１を収容する発光部２４１と、これに連設された封止部２４２とからなる。
前記封体２４の封止部２４２は、前記基部２３に嵌合するように取り付けられている。
このように光源体２は、発光体２１、リード２２、基部２３および封体２４により構成されている。
そして、前記封体２４の発光部２４１の下方外表面には、透光性の保護カバー３が設けられていて、この保護カバー３は、封止部２４２に向かって延設されている。
【００１２】
前記発光体２１の構造が図４に示され、発光体２１は、線状の基板上に複数のＬＥＤ２１１が並設されている。各ＬＥＤ２１１はリードフレーム２１２上に複数設けられており、各ＬＥＤ２１１はワイヤ２１３を介して電気的に接続されている。ＬＥＤ２１１の周囲は透光性のパッケージ２１４で覆われており、各ＬＥＤ２１１からの出射光が周囲に放射されやすいよう設計されている。
なお、発光体２１は上記構成に限られず、発光部２４１の内部に収容され、複数のＬＥＤを備えた発光体であればいかなる構成であっても構わない。
【００１３】
再び図２を参照して、前記光源体２を構成する封体２４の封止部２４２には口金４が装着されている。この口金４は、ベース部４１とこれに螺合した透光性の締付け部材（シールナット）４２とからなる。
締付け部材４２は、上端側で絞られたテーパー部４２１を有している。
そして、前記封体２４の封止部２４２には、弾性部材からなる防水カバー５が被嵌されており、該防水カバー５と前記締付け部材４２との間には、押え部材６が設けられている。
【００１４】
図３に示されるように、押え部材６は、円筒形状の上端側に複数のスリット６１が形成されていて、その上端側は内側方向に可撓性を有している。
締付け部材４２をベース部４１に係合（螺合）することで、その上端側のテーパー部４２１が押え部材６の上端部を内側に締め付けて、防水カバー５を押圧し、該防水カバー５を封体２４の封止部２４２に密着させる。
前記口金４のベース部４１には給電線１０が貫通挿入されており、光源体２を口金４に装着した時に、この口金４内部で、光源体２の発光体２１からのリード２２に電気的な接続がなされるものである。
【００１５】
各パーツの代表的な材料は以下の通りである。
・封体：ポリカーボネイト（ＰＣ）、ガラス
・保護カバー：シリコンゴム
・ベース部：ポリブチレンテレフタレート（ＰＢＴ）、ポリカーボネイト（ＰＣ）
・締付け部材：ポリカーボネイト（ＰＣ）
・防水カバー：ポリブチレンテレフタレート（ＰＢＴ）、ポリカーボネイト（ＰＣ）
・押え部材：ポリプロピレン（ＰＰ）
【００１６】
上記のような構成の照明装置１を、図１に示すように、給電線１０により電気的に複数連設することで、適宜の範囲を装飾することができる装飾用照明装置が得られる。
【００１７】
以上のように、本発明においては、発光体を収容した封体の下方外表面に封止部まで延びる透光性の保護カバーを設けるとともに、締付け部材により押え部材を防水カバーに押圧し、該防水カバーを封体の封止部に密着させるので、口金と光源体の隙間から口金内部に雨水が侵入することがなく、屋外での使用時にも極めて防水性の高い照明装置が得られる。
また、保護カバー、防水カバーおよび締付け部材を透光性部材で構成することにより、発光体からの出射光が側面方向や下面方向にも照射されるので、照明装置としての装飾効果を損なうことがない。
【符号の説明】
【００１８】
１      装飾用照明装置
２      光源体
２１    発光体
２２    リード
２３    基部
２４    封体
２４１  発光部
２４２  封止部
３      保護カバー
４      口金
４１    ベース部
４２    締付け部材
４２１  テーパー部
５      防水カバー
６      押え部材
６１    スリット
１０    給電線
【図１】
2018088378.tif 000003
【図２】
2018088378.tif 000004
【図３】
2018088378.tif 000005
【図４】
2018088378.tif 000006